(57)【要約】【課題】カメラのクリーニングモードにおいて、電源切れによる不測の事態の発生を確実に阻止しつつも電池使用時の清掃を可能とし、しかもユーザが常に安心して清掃を行えるようにする。【解決手段】撮像素子または撮影光路内の光学部材の清掃を可能とするために、撮影動作部材を電力によって撮影光路から退避した状態に保持するクリーニングモードが設定可能な電子カメラにおいて、電池による給電時に電池チェック結果に基づいてクリーニングモードの可否を判定する。例えばクリーニングモード可と判定された場合にクリーニングモードを設定し、不可と判定された場合にクリーニングモードの設定を禁止する。【選択図】　　　　図５
2004128954.tif 000002
【特許請求の範囲】
【請求項１】
撮像素子または撮影光路内の光学部材の清掃を可能とするために、撮影動作部材を電力によって撮影光路から退避した状態に保持するクリーニングモードが設定可能な電子カメラにおいて、
電池残量をチェックする電池チェック装置と、
電池による給電時に前記電池チェック装置の出力に基づいて前記クリーニングモードの可否を判定する判定装置とを具備することを特徴とするクリーニングモードを有する電カメラ。
【請求項２】
電池による給電時に前記クリーニングモードの設定操作がなされると前記判定装置を作動せしめ、クリーニングモード可と判定された場合にクリーニングモードを設定し、不可と判定された場合にクリーニングモードの設定を禁止する制御装置を更に備えることを特徴とする請求項１に記載のクリーニングモードを有する電子カメラ。
【請求項３】
警告装置と、
電池による給電時に前記クリーニングモードの設定操作がなされると前記判定装置を作動せしめ、クリーニングモード不可と判定された場合に前記警告装置を作動せしめる制御装置とを更に備えることを特徴とする請求項１に記載のクリーニングモードを有する電子カメラ。
【請求項４】
警告装置と、
電池による給電時で前記クリーニングモードが設定されている間は前記判定装置を逐次作動させ、クリーニングモード不可と判定された場合に前記警告装置を作動せしめる制御装置とを更に備えることを特徴とする請求項１に記載のクリーニングモードを有する電子カメラ。
【請求項５】
前記制御装置は、前記クリーニングモードが解除されるまで前記警告装置を継続して作動せしめることを特徴とする請求項４に記載のクリーニングモードを有する電子カメラ。
【請求項６】
撮像素子または撮影光路内の光学部材の清掃を可能とするために、撮影動作部材を電力によって撮影光路から退避した状態に保持するクリーニングモードが設定可能な電子カメラにおいて、
電池残量をチェックする電池チェック装置と、
電池による給電時で前記クリーニングモードが設定されている間、前記電池チェック装置の出力に基づいてクリーニングモードが維持可能な残り時間を逐次演算する演算装置と、
前記演算装置の演算結果を報知する警告装置とを具備することを特徴とするクリーニングモードを有する電子カメラ。
【請求項７】
撮像素子または撮影光路内の光学部材の清掃を可能とするために、撮影動作部材を電力によって撮影光路から退避した状態に保持するクリーニングモードが設定可能な電子カメラにおいて、
前記クリーニングモード設定時には、カメラの電源をオフするための操作がなされても電源をオン状態に保持し、その後に前記クリーニングモードが解除されるとカメラの電源をオフする制御装置を備えることを特徴とするクリーニングモードを有する電子カメラ。
【請求項８】
警告装置を更に備え、
前記制御装置は、前記クリーニングモード設定時にカメラの電源をオフするための操作がなされると前記警告装置を作動せしめ、前記クリーニングモードが解除されると前記警告装置を停止することを特徴とする請求項７に記載のクリーニングモードを有する電子カメラ。
【請求項９】
前記判定装置は、前記電池チェック装置にて検出された電池残量を所定の閾値と比較し、電池残量が閾値以上であればクリーニングモード可と判断し、閾値未満であればクリーニングモード不可と判断することを特徴とする請求項１〜５のいずれかに記載のクリーニングモードを有する電子カメラ。
【発明の詳細な説明】
【０００１】
【発明の属する技術分野】
本発明は、撮像素子や光学ローパスフィルタ等に付着した塵埃を除去するためのクリーニングモードを備えた電子カメラに関する。
【０００２】
【従来の技術】
電子カメラは、撮影光束をＣＣＤやＣ−ＭＯＳ等の撮像素子で受光し、その光電変換出力を画像データに変換して記録媒体に記録する。撮像素子の前面側には光学ローパスフィルタが配置されるものもが多い。このような電子カメラにおいては、撮像素子や光学ローパスフィルタの表面に塵埃が付着すると、その付着部分が黒い点となって撮影画像に写り込み、画像の見栄えが低下する。特にレンズ交換可能な電子カメラでは、シャッタや絞り制御機構といったメカ的な作動部が撮像素子の近傍に配置されており、それらの作動部から発生した塵埃が撮像素子やローパスフィルタに付着することがある。また、レンズ交換時にレンズマウントの開口からカメラボディ内に外部の塵埃が入り込み、これが付着することもある。
【０００３】
そこで、付着した塵埃を取り除くためのモードを備えたレンズ着脱型の電子カメラが提案されている。このモードは例えばクリーニングモードと呼ばれ、モード設定に伴ってシャッタを開き、ミラーをアップさせ、その状態を保持する。この状態では、レンズ着脱用開口からシャッタ開口を通して撮像素子あるいは光学ローパスフィルタが臨めるため、ユーザはそれらに付着した塵埃をブロアで吹き飛ばす等の清掃作業が行える（例えば、特許文献１，２参照）。
【０００４】
ところが、上記のようにシャッタを開状態に、ミラーをアップ状態に保持するには電力を必要とするから、清掃作業中に電源消耗により充分な電力が供給されなくなると、不所望にシャッタが閉状態に、ミラーがダウン状態にそれぞれ復帰してしまい、それらをブロアのノズル等で傷つけるおそれがある。これを防止するため、カメラメーカーは、ＡＣ電源（外部電源）使用時あるいは充電状態が充分な電池を使用しているときにのみクリーニングモードを設定するよう推奨している。また特許文献１のものは、外部電源使用時のみクリーニングモードの設定を許可し、電池使用時は許可しないようにしている。
【０００５】
【特許文献１】
特開２００１−１５９７７７号公報
【特許文献２】
特開２０００−１２５１５２号公報
【０００６】
【発明が解決しようとする課題】
【０００７】
しかしながら、ＡＣ電源使用時はともかく、電池使用時にはいつ電池切れになるか分からないため、仮に充分な充電状態であっても清掃を躊躇したり、清掃を敢行するにしても不安を抱きながらの作業となる。一方、ＡＣ電源使用時でなければクリーニングモードを許可しないものでは、ＡＣ電源が使用できない場所（撮影現場は殆どそうである）では清掃が行えないため、塵埃が付着したまま撮影を続行しなければならない。
【０００８】
本発明の目的は、カメラのクリーニングモードにおいて、電源切れによる不測の事態の発生を確実に阻止しつつも電池使用時の清掃を可能とし、しかもユーザが常に安心して清掃を行えるよう改良したクリーニングモードを有する電子カメラを提供することにある。
【０００９】
【課題を解決するための手段】
本発明は、撮像素子または撮影光路内の光学部材の清掃を可能とするために、撮影動作部材を電力によって撮影光路から退避した状態に保持するクリーニングモードが設定可能な電子カメラに適用される。
請求項１〜５の発明は、電池残量をチェックする電池チェック装置と、電池による給電時に電池チェック装置の出力に基づいてクリーニングモードの可否を判定する判定装置とを具備し、これにより上記問題点を解決する。
特に請求項２の発明は、電池による給電時にクリーニングモードの設定操作がなされると判定装置を作動せしめ、クリーニングモード可と判定された場合にクリーニングモードを設定し、不可と判定された場合にクリーニングモードの設定を禁止する制御装置を更に備えるものである。
請求項３の発明は、警告装置と、電池による給電時にクリーニングモードの設定操作がなされると判定装置を作動せしめ、クリーニングモード不可と判定された場合に警告装置を作動せしめる制御装置とを更に備えるものである。
請求項４および５の発明は、警告装置と、電池による給電時で前記クリーニングモードが設定されている間は判定装置を逐次作動させ、クリーニングモード不可と判定された場合に警告装置を作動せしめる制御装置とを更に備えるものである。
請求項５の発明は、クリーニングモードが解除されるまで警告装置を継続して作動せしめるようにしたものである。
請求項６の発明は、電池残量をチェックする電池チェック装置と、電池による給電時でクリーニングモードが設定されている間、電池チェック装置の出力に基づいてクリーニングモードが維持可能な残り時間を逐次演算する演算装置と、演算装置の演算結果を報知する警告装置とを具備するものである。
請求項７および８の発明は、クリーニングモード設定時には、カメラの電源をオフするための操作がなされても電源をオン状態に保持し、その後にクリーニングモードが解除されるとカメラの電源をオフする制御装置を備えるものである。
特に請求項８の発明は、警告装置を更に備え、クリーニングモード設定時にカメラの電源をオフするための操作がなされると警告装置を作動せしめ、クリーニングモードが解除されると警告装置を停止するようにしたものである。
請求項９の発明は、請求項１〜５のいずれかにおいて、電池チェック装置にて検出された電池残量を所定の閾値と比較し、電池残量が閾値以上であればクリーニングモード可と判断し、閾値未満であればクリーニングモード不可と判断するようにしたものである。
【００１０】
【発明の実施の形態】
図１〜図５により本発明の一実施の形態を説明する。
図１は本実施形態における電子カメラの側面図である。この電子カメラ１はレンズ交換式の一眼レフタイプであり、レンズマウント３を介して交換レンズ５がカメラボディに装着される。撮影レンズ５を透過した撮影光束は、レンズマウント３の開口３ａを通ってカメラボディ１ａ内に導かれ、ミラー７で反射されてファインダスクリーン９上に結像された後、ペンタプリズム１１を介して接眼レンズ１３で観察される。
【００１１】
シャッタ２３は、複数のシャッタ羽根２３ａから成る先幕および後幕を有し、図では先幕がシャッタ開口を覆っている。レリーズ操作がなされると、ミラー７が跳ね上げられるとともにシャッタ先幕および後幕が駆動され、撮影光束はシャッタ開口を通って固体撮像素子２１の受光面２１ａに結像する。撮像素子２１は例えばＣＣＤやＣＭＯＳから成り、その光電変換出力は画像信号として不図示の撮像回路１０２（図３）に送られる。
【００１２】
図２はカメラ１を背面から見た斜視図図である。カメラ上面には、カメラの電源をオン・オフするためのメインスイッチＳＷ１と、撮影動作の開始を指示するレリーズスイッチＳＷ２とが設けられている。カメラ背面には、撮影後の画像を再生したりメニュー画面を表示する液晶モニター５１と、モード選択スイッチＳＷ３と、４方向の選択スイッチＳＷ４〜ＳＷ７と、実行スイッチＳＷ８と、取り消しスイッチＳＷ９とが配置されている。モード選択スイッチＳＷ３で選択可能なモードは、撮影モード，画像再生モード，メニューモード等がある。
【００１３】
図３はカメラ１の制御系のブロック図である。カメラ全体を統括制御するマイクロコンピュータ１０１には、フォーカスモータ１９を駆動するドライバＤＲ１と、撮像素子２１からの信号を処理する撮像回路１０２と、シャッタ２３を駆動するドライバＤＲ２と、撮影レンズの絞りを駆動する絞り機構１０９のドライバＤＲ３と、ミラー７を駆動するミラー機構１１１のドライバＤＲ４と、液晶モニター５１を駆動するドライバＤＲ５と、メモリカードＭＣを抜き差しするためのカードコネクタ１１２と、画像データを一時的に格納する画像記憶メモリ１１４と、画像データを所定の形式（例えば、ＪＰＥＧ形式）で圧縮／伸張する圧縮／伸張回路１１６と、制御に必要な種々のデータを記憶するメモリ１１８と、タイマー１１３と、音による警告を行う圧電ブザー１１５のドライバＤＲ５と、外部電源（ＡＣ電源）のコネクタＣＮと、電源電池１０３の状態をチェックする電池チェック回路１０５と、上述した各種スイッチＳＷ１〜ＳＷ９が接続されている。
【００１４】
カメラは、ＡＣ電源接続時には優先的にＡＣ電源から給電を受け、そうでないときには電池１０３から給電を受ける。電池チェック回路１０５による判定結果は、周知の電池残量表示として液晶モニター５１に表示される。本実施形態では、電池チェック回路１０５の出力をクリーニングモードの可否の判定にも用いるが、それについては後述する。
【００１５】
次に、カメラ１のクリーニングモードについて説明する。
クリーニングモードは、撮像素子２１の表面（受光面２１ａを覆うカバーガラスの表面）に付着した塵埃を取り除くための清掃を許容するモードである。なお、撮像素子２１の光路前方に光学ローパスフィルタやその他の光学部材が配置されている場合には、それらの表面に付着した塵埃を除去することになる。
【００１６】
クリーニングモードを設定するには、まずモードスイッチＳＷ３を操作してメニューモードを設定し、液晶モニター５１上のメニューモード画面において、複数の選択肢からスイッチＳＷ３〜ＳＷ７を用いて「クリーニングモード」を選択する。次いで実行スイッチＳＷ８を操作すると「実行・解除」が表示されるので、「実行」を選択して更にスイッチＳＷ８を操作するとクリーニングモードが設定される。条件によっては、上記の操作を行ってもクリーニングモードが設定されない場合もあるが、その詳細は後述する。
【００１７】
クリーニングモードが設定されると、ミラー７がアップ位置に駆動されるとともに、シャッタ２３の先幕のみが駆動されてシャッタ開口を開放し、その状態が保持される。この状態では、マウント開口３ａから撮像素子２１に至るまでの撮影光路に位置していた撮影動作部材（ミラー７，シャッタ幕）が撮影光路外に退避しているので、マウント開口３ａから撮像素子２１の表面の清掃が可能となる。ユーザは、ブロア等の清掃用具をマウント開口３ａからシャッタ開口を通して撮像素子２１の手前まで挿入し、表面に付着した塵埃を吹き飛ばす等の清掃作業を行う。清掃終了後、上述の「実行・解除」を表示させて「解除」を選択すすると、クリーニングモードが解除され、ミラー７はダウン位置に、シャッタは閉状態に復帰する。
なお、クリーニングモードの設定・解除方法は上記に限定されない。
【００１８】
ところで、クリーニングモードにおいて、ミラー７およびシャッタ２３をそれぞれアップ状態および開状態（以下、清掃可能状態と呼ぶ）に保持するには電力を必要とする。カメラは、電池およびＡＣ電源のいずれかから択一的に給電可能であるが、電池使用時にはクリーニングモード中の電池切れが懸念される。電池切れが起きると、ミラー７やシャッタ２３が不所望に元の位置に復帰してしまい、清掃用具でそれらを破損させるおそれがある。
【００１９】
そこで本実施形態では、電池使用時にクリーニングモードが指示されると、まず電池チェック回路１０５の検出出力から電池の充電レベル（電池残量）を判定する。そして、電池残量が所定値以上であればクリーニングモードを設定するが、所定値未満の場合にはクリーニングモードを禁止して電池不足である旨の警告を行う。すなわち、ミラー７やシャッタ２３を清掃に必要な時間だけ清掃可能状態に保持しておくだけの電池残量があれば清掃可能状態に移行させるが、そうでなければ清掃可能状態に移行させない。これによれば、電池切れによる不測の事態を確実に回避できるとともに、電池残量が充分の時には、ＡＣ電源を使用できない環境でも安心して清掃を行うことができる。
【００２０】
またクリーニングモードの設定を禁止するときには、電池残量が足りない旨の警告メッセージが液晶モニター５１に表示されるので、ユーザはＡＣ電源を用いるか、あるいは電池を充電してから清掃を行うといった措置がとれる。警告は、上記警告メッセージの表示に加えて、圧電ブザー１１５による音の警告も行う。ブザー音を聞いたユーザは、液晶モニター５１上のメッセージを見ることで事情を把握できる。
【００２１】
しかし、電池残量が充分と判断されてクリーニングモードが設定されても、清掃時間が長引く等の理由でクリーニングモード中に電池残量が所定値を下回り、ミラー７やシャッタ２３が不所望に復帰するおそれがある。これを防止するために本実施形態では、クリーニングモード設定中にも逐次電池チェックを行い、電池残量が所定値未満になったら警告を行う。この場合の警告は、クリーニングモードの解除を促すメッセージの表示とブザー音によるものであるが、これらの警告はユーザがクリーニングモードを解除するまで継続する。ユーザが警告に従ってクリーニングモードを解除すると警告は解除される。
【００２２】
ここで、クリーニングモードの設定の可否を決める閾値（上記所定値）は、基本的にはミラー７やシャッタ２３を清掃に必要な時間だけ清掃可能状態に保持しておけるか否かの閾値であり、本来のカメラ一般動作に関わる電池残量表示における値とは別に設定されるものである。清掃に必要な時間は、いかなる清掃を行うかで変わってくるため一概にはいえないが、例えばブロアで塵埃を吹き飛ばすだけであれば５分未満で済むので、清掃可能状態を例えば５分〜１０分程度以上維持できる値に設定すればよい。またより時間のかかる清掃方法を想定しているのであれば、例えば２０分〜３０分程度以上、あるいはそれより長く維持できるような値にしてもよい。
【００２３】
次に、クリーニングモード設定中にメインスイッチＳＷ１がオフ操作されたケースについて説明する。カメラは、通常はメインスイッチＳＷ１のオフに伴って電源オフ状態となるが、クリーニングモード設定中に電源がオフされるとミラー７およびシャッタ２３が復帰してしまい、上述と同様の問題が起こり得る。そこで本実施形態では、クリーニングモード中にメインスイッチＳＷ１がオフされた場合には、警告を発し、電源オン状態を保持するとともにクリーニングモードも設定状態に保持する。上記警告は、カメラの電源を落とすならまずクリーニングモードを終了させるよう促すメッセージおよび音である。ユーザが警告に従ってクリーニングモードを解除すると、ミラー７やシャッタ２３が復帰した後に電源がオフされる。
【００２４】
図４，図５は上述の動作をソフト的に実現するためのフローチャートを示している。
マイクロコンピュータ１０１は、クリーニングモードの設定操作がなされるとこのプログラムを起動し、まず電源の種類を判定する（ステップＳ１０１）。ＡＣ電源（外部電源）使用であれば、液晶モニタ５１上にクリーニング実行中の旨の表示を行う（ステップＳ１０３）とともに、シャッタ２３およびミラー７を上記清掃可能状態とする（ステップＳ１０５，Ｓ１０７）。すなわち、ＡＣ電源使用時であれば無条件にクリーニングモードを設定する。
【００２５】
その後、ステップＳ１１５でクリーニングモード解除指示を待つことになるが、その解除指示の前にメインスイッチＳＷ１がオフされると、ステップＳ１０９からステップＳ１１１→Ｓ１１３と進み、クリーニングの終了を促す警告メッセージを表示するとともに、ブザー音による警告を発する。このとき、カメラの電源はオンのままであり、またクリーニングモードも解除されない。警告は、クリーニングモードの解除が指示されるか、メインスイッチＳＷ１がオンされるまで継続する。クリーニングモード解除が指示されると、ステップＳ１１５からステップＳ１１７→Ｓ１１９→Ｓ１２１と進み、シャッタ２３閉動作、ミラーダウン動作および警告表示の解除を行う。その後、ステップＳ１２３でメインスイッチＳＷ１がオフ状態であることが判定されると、ステップＳ１２５で電源をオフしてリターンし、メインスイッチＳＷ１がオフ状態であればそのままリターンする。
【００２６】
以上はＡＣ電源使用時の動作であったが、ステップＳ１０１が否定された場合、つまり電池使用時には、まず電池チェック回路１０５からの信号に基づいて電池レベル（電池残量）を判定する（ステップＳ１３１）。電池レベルが所定値未満であれば、電池容量不足である旨の警告メッセージを表示する（ステップＳ１３３）とともに、ブザー音による警告を行ってリターンする（ステップＳ１３５）。この場合はシャッタ２３およびミラー７の清掃可能状態への移行はなされず、クリーニングモードは設定されない。
【００２７】
一方、電池レベルが所定値以上であれば、クリーニング実行中の旨のメッセージを表示する（ステップＳ１４１）とともに、シャッタ２３およびミラー７を清掃可能状態とする（ステップＳ１４３，Ｓ１４５）。すなわち、クリーニングモードを設定する。その後、ステップＳ１５９でクリーニングモードの解除指示がなされるまで電池レベルが逐次判定され（ステップＳ１４７）、電池残量が所定値未満であればクリーニングの終了を促す旨のメッセージを表示する（ステップＳ１４９）とともに、ブザー音による警告を行う（ステップＳ１５１）。また、ステップＳ１５３でクリーニングモードの途中にメインスイッチＳＷ１のオフ操作がなされたと判定された場合は、上記ステップＳ１１１，Ｓ１１３と同様にクリーニングの終了を促す警告メッセージを表示するとともに、ブザー音による警告を発する（ステップＳ１５５，Ｓ１５７）。ステップＳ１５９でクリーニングモードの解除が指示された場合は、上述したステップＳ１１７に進む。
【００２８】
なお、ステップＳ１４９のクリーニングモード終了を促すメッセージに代えて、クリーニングを終了してもよいか否かのメッセージを表示するとともに、「はい」か「いいえ」かを選択可能とし、「はい」が選択された場合にクリーニングモードを解除するようにしてもよい。あるいは、ステップＳ１４７が肯定されると、例えば光センサなどを用いてカメラボディ内に清掃用具等が挿入されているか否かを判定し、挿入されていると判定された場合にクリーニングモードを解除するようにしてもよい。
【００２９】
図６は他の実施形態を示している。図６のステップＳ２０１〜Ｓ２０５は、図５のステップＳ１４７〜Ｓ１５１に代わるもので、他の部分は先の実施形態と同様とする。
クリーニングモード設定後、電池チェック回路１０５の出力に基づいて、上記清掃可能状態を維持できなくなるほど電池レベルが低下するまでの残り時間を推定演算する（ステップＳ２０１）。演算された残り時間を判定し（ステップＳ２０２）、所定時間以上であれば、充分な時間がある旨のメッセージを表示し（ステップＳ２０３）、所定時間未満であれば、その残り時間を液晶モニター５１に表示する（ステップＳ２０４）とともに、ブザー音による警告も行う（ステップＳ２０５）。この処理をクリーニングモードが解除されるまで逐次行うことで、ユーザは、液晶モニター５１上の残り時間を確認しつつ安心して清掃作業が行え、かつ電池切れになる前にクリーニングモードを終了させることができる。
なお、残り時間が少なくなるにつれてブザー音を大きくしたり、音の種類や周期を変えるようにしてもよい。
【００３０】
また上記残り時間の演算方法として、例えば所定時間おきに電池残量を読み込み、その都度前回の値と比較することで電池の消耗度を求め、その消耗度に基づいて残り時間を推定演算するようにしてもよい。これによれば、周囲温度等の外的要因に左右されずに正確な残り時間を求めることが可能となる。電池の消耗が早い場合には、早めにクリーニングを止めるよう警告するようにしてもよい。
なお、各実施形態において、ブザー音に変えて音声で警告するようにしてもよい。
【００３１】
【発明の効果】
請求項１の発明によれば、電池残量をチェックし、電池による給電時に電池チェック結果に基づいてクリーニングモードの可否を判定するようにしたので、クリーニング中に電源切れによって撮影動作部材が不所望に復帰することがなく、撮影動作部材の破損が防止できる。また、電池使用時でも安心してクリーニングを行える。
請求項６の発明は、電池による給電時でクリーニングモードが設定されている間、電池チェック結果に基づいてクリーニングモードが維持可能な残り時間を逐次演算し、その演算結果を報知するようにしたので、電池使用時も安心してクリーニングを行えるとともに、電池切れによる不測の事態を回避できる。
請求項７の発明によれば、クリーニングモード設定時には、カメラの電源をオフすための操作がなされても電源をオン状態に保持し、その後にクリーニングモードが解除されるとカメラの電源をオフするようにしたので、クリーニングモード中に電源がオフされて撮影動作部材が不所望に復帰するといった不都合はなくなる。
【図面の簡単な説明】
【図１】本発明の一実施形態における電子カメラの構造を示す図。
【図２】上記カメラを背面から見た斜視図。
【図３】カメラの制御系を示すブロック図。
【図４】カメラでクリーニングモードが指示された際の処理手順を示すフローチャート。
【図５】図４に続くフローチャート。
【図６】他の実施形態を示すフローチャートであり、図５に相当する図。
【符号の説明】
１　電子カメラ
５　撮影レンズ
５　メインミラー
２１　撮像素子
２１ａ　受光面
２３　シャッタ
５１　液晶モニタ
１０１　マイクロコンピュータ
１０５　電池チェック回路
ＳＷ１　メインスイッチ
【図１】
2004128954.tif 000003
【図２】
2004128954.tif 000004
【図３】
2004128954.tif 000005
【図４】
2004128954.tif 000006
【図５】
2004128954.tif 000007
【図６】
2004128954.tif 000008